(57)【特許請求の範囲】
【請求項１】
第１のコネクタと第２のコネクタとを所定の接続位置に切り換え自在にしたコネクタ切換装置において、第１のコネクタ取付部と第２のコネクタ取付部とを有した取付体を軸を介して回動自在に支持し、この取付体の第１のコネクタ取付部に上記第１のコネクタを固定すると共に、該取付体の第２のコネクタ取付部に上記第２のコネクタを固定し、上記取付体の回動により上記第１のコネクタと上記第２のコネクタとを上記所定の接続位置に切り換え自在にしたコネクタ切換装置において、
上記各コネクタを外に露出させる共通の開口部を有した蓋体を上記所定の接続位置側に着脱自在に取り付け、
この蓋体に上記取付体のいずれか一方のコネクタ取付部を押えて固定する押え部を設け、
この蓋体を上下逆向きにして取り付けることにより、該蓋体の押え部で上記取付体の接続される方でない側のコネクタ取付部を固定自在にしたことを特徴とするコネクタ切換装置。
【請求項２】
第１のコネクタと第２のコネクタとを所定の接続位置に切り換え自在にしたコネクタ切換装置を用いるビデオカメラにおいて、
第１のコネクタ取付部と第２のコネクタ取付部とを有した取付体を軸を介して記録部側に回動自在に支持し、
この取付体の第１のコネクタ取付部に上記第１のコネクタを固定すると共に、該取付体の第２のコネクタ取付部に上記第２のコネクタを固定し、
上記取付体の回動により上記第１のコネクタと第２のコネクタとを上記記録部側の所定の接続位置に切り換え自在にしたことを特徴とする業務用ビデオカメラ。
【請求項３】
請求項２記載のビデオカメラにおいて、
上記第１のコネクタとしてアナログコネクタを用いると共に、
上記第２のコネクタとしてディジタルコネクタを用い、
カメラ部側の所定の接続位置に上記記録部側の上記アナログコネクタとディジタルコネクタがそれぞれ接続される各コネクタを配置したことを特徴とする業務用ビデオカメラ。
【発明の詳細な説明】
【０００１】
【発明の属する技術分野】
この発明は、コネクタ切換装置及び該装置を用いるいわゆる業務用ディジタルカメラ等のビデオカメラに関するものである。
【０００２】
【従来の技術】
例えば、業務用のビデオカメラ（放送用のテレビジョンカメラ）が知られている。この業務用のビデオカメラは、撮影レンズやビューファインダ等を有したカメラ本体の後部に、ＶＴＲ（ビデオテープレコーダ）本体を設けてあり、このカメラ本体側でＣＣＤ（固体撮像素子）やアナログ信号処理回路等を介してアナログ信号化したビデオ（映像）信号を上記ＶＴＲ本体側でアナログ記録するものである。また、今日、カメラ本体側でＣＣＤやディジタル信号処理回路等を介してディジタル信号化したビデオ信号をＶＴＲ本体側でディジタル記録するいわゆるディジタルカメラが業務用のビデオカメラとして開発されている。
【０００３】
【発明が解決しようとする課題】
しかしながら、上記従来のアナログ記録式のビデオカメラ（いわゆるアナログカメラ）やディジタル記録式のビデオカメラ（以下、ディジタルカメラという）は互換性がないため、これらの両方に対応できるようにする（例えば、アナログカメラ側のカメラ本体でアナログ信号化したビデオ信号を、ディジタルカメラ側のＶＴＲ本体でディジタル記録したりする場合等）には、異なる入出力端子を有した接続コネクタを交互に切り換えるようにするコネクタ切換装置が必要不可欠であり、当該コネクタ切換装置の開発が望まれていた。
【０００４】
そこで、この発明は、第１のコネクタと第２のコネクタとを簡単に切り換えることができるコネクタ切換装置及び該装置を用いるビデオカメラを提供するものである。
【０００５】
【課題を解決するための手段】
請求項１の発明は、第１のコネクタと第２のコネクタとを所定の接続位置に切り換え自在にしたコネクタ切換装置において、第１のコネクタ取付部と第２のコネクタ取付部とを有した取付体を軸を介して回動自在に支持し、この取付体の第１のコネクタ取付部に上記第１のコネクタを固定すると共に、該取付体の第２のコネクタ取付部に上記第２のコネクタを固定し、上記取付体の回動により上記第１のコネクタと上記第２のコネクタとを上記所定の接続位置に切り換え自在にしたコネクタ切換装置において、上記各コネクタを外に露出させる共通の開口部を有した蓋体を上記所定の接続位置側に着脱自在に取り付け、この蓋体に上記取付体のいずれか一方のコネクタ取付部を押えて固定する押え部を設け、この蓋体を上下逆向きにして取り付けることにより、該蓋体の押え部で上記取付体の接続される方でない側のコネクタ取付部を固定自在にした。
【０００６】
請求項２の発明は、第１のコネクタと第２のコネクタとを所定の接続位置に切り換え自在にしたコネクタ切換装置を用いる業務用ビデオカメラにおいて、第１のコネクタ取付部と第２のコネクタ取付部とを有した取付体を軸を介して記録部側に回動自在に支持し、この取付体の第１のコネクタ取付部に上記第１のコネクタを固定すると共に、該取付体の第２のコネクタ取付部に上記第２のコネクタを固定し、上記取付体の回動により上記第１のコネクタと第２のコネクタとを上記記録部側の所定の接続位置に切り換え自在にした。
【０００７】
【発明の実施の形態】
以下、この発明の具体的な実施の形態例について図面を参照して説明する。
【０００８】
図１は、この発明の一実施形態例の業務用ディジタルカメラ（ビデオカメラ）１を示す。この業務用ディジタルカメラ１は図示しない撮像レンズやＣＣＤ（固体撮像素子）等により撮影した映像（ビデオ）信号をアナログ信号化すると共にディジタル信号化するカメラ本体（カメラ部）２を有している。このカメラ本体２は、上記撮像レンズを内蔵したレンズ鏡筒３とグリップ部４及びビューファインダ５等を備えている。また、カメラ本体２の背面２ａ側には、ＶＴＲ本体（記録部）６を着脱自在に取り付けてある。さらに、カメラ本体２の背面２ａには、図３（Ｂ），図５（Ｂ）に示すように、アナログ信号化したビデオ信号をＶＴＲ本体６側に供給するための出力端子である長尺で雄型のアナログコネクタ７と、ディジタル信号化したビデオ信号をＶＴＲ本体６側に供給するための出力端子である短尺で雄型のディジタルコネクタ８とをそれぞれ上下方向に延びるように並列に埋設してある。
【０００９】
また、業務用ディジタルカメラ１は、カメラ本体２側でディジタル信号化したビデオ信号をＶＴＲ本体６側でビデオカセット内の記録媒体としての磁気テープ（いずれも図示省略）にディジタル記録できる他に、カメラ本体２側でアナログ信号化したビデオ信号をＶＴＲ本体６側でディジタル記録できるものである。即ち、このＶＴＲ本体６はディジタル記録専用のビデオテープレコーダであり、図７に示す回路を内蔵して雄型のアナログコネクタ７と後述する雌型のアナログコネクタ１５を介してカメラ本体２からＶＴＲ本体６に入力されたアナログ信号をＡ（アナログ）／Ｄ（ディジタル）信号変換回路６１によりディジタル信号に変換させ、データ圧縮回路６２を介して磁気テープにディジタル記録すると共に、雄型のディジタルコネクタ８と後述する雌型のディジタルコネクタ１７を介してカメラ本体２からＶＴＲ本体６に入力されたディジタル信号はそのままデータ圧縮回路６２を介して磁気テープにディジタル記録するようになっている。
【００１０】
図３（Ａ），図５（Ａ）に示すように、ＶＴＲ本体６の前面６ａのグリップ部４側の上記各コネクタ７，８に相対向する位置（所定の接続位置）にはコネクタ切換装置１０を埋設してある。このコネクタ切換装置１０は、図２，図４に示すように、上記ＶＴＲ本体６の前面６ａに埋設されて図示しないネジにより該前面６ａ側に締結固定された金属製で側面略コ字状のベース板（ベース体）１１と、第１のコネクタ取付部１２ａと第２のコネクタ取付部１２ｂ等を折り曲げ形成すると共に、この第１のコネクタ取付部１２ａの上，下端部に折り曲げられた一対の折曲部１２ｃ，１２ｃを各軸１３，１３を介して上記ベース板１１の上，下片部１１ａ，１１ｂ間の左右方向に回動自在に支持した金属製の取付板（取付体）１２と、この取付板１２の第１のコネクタ取付部１２ａに各ネジ１４を介して締結固定された入力端子である長尺で雌型のアナログコネクタ（第１のコネクタ）１５と、上記取付板１２の第２のコネクタ取付部１２ｂにネジ１６を介して締結固定された入力端子である短尺で雌型のディジタルコネクタ（第２のコネクタ）１７と、上記ベース板１１の上片部１１ａの係止孔部１１ｄと上記取付板１２の第２のコネクタ取付部１２ｂの上端の折曲部の係止孔部１２ｄとに係止され、該取付板１２の各コネクタ取付部１２ａ，１２ｂの切り換えた後の状態を維持するように付勢する捩りコイルバネ（付勢手段）１８と、上記ベース板１１の上，下片部１１ａ，１１ｂの各前端折曲部１１ａ′，１１ｂ′にネジ（締結手段）１９を介して着脱自在に取り付けられ、上記各コネクタ１５，１７を外に露出させる共通の開口部２０ａを有すると共に、取付板１２の各コネクタ取付部１２ａ，１２ｂのいずれか一方を押えて固定する一対の折曲部（押え部）２０ｂ，２０ｂを切り起し形成した金属製で矩形の押え板（蓋体）２０とで構成されている。
【００１１】
ベース板１１の上，下片部１１ａ，１１ｂ等はＶＴＲ本体６内に収納されており、それらの各前端折曲部１１ａ′，１１ｂ′がＶＴＲ本体６の前面６ａと略面一になるように突出している。そして、ベース板１１の各前端折曲部１１ａ′，１１ｂ′にネジ１９を介して押え板２０を締結固定した場合には、図３（Ａ）と図５（Ａ）に示すように、いずれか一方のコネクタ１５，１７が押え板２０の開口部２０ａから外に露出するようになっている。
【００１２】
図２と図４及び図６に示すように、取付板１２の第１のコネクタ取付部１２ａと第２のコネクタ取付部１２ｂとはいずれか一方のコネクタ１５，１７がベース板１１側に後退した時に、該いずれか一方のコネクタ１５，１７が押え板２０に当たらないように所定角度傾斜するように折り曲げ形成してある。また、取付板１２のいずれか一方のコネクタ取付部１２ａ或は１２ｂは、押え板２０の一対の折曲部２０ｂ，２０ｂによって固定されるようになっている。さらに、この各コネクタ取付部１２ａ，１２ｂの突出状態及び後退状態は捩りコイルバネ１８の付勢力により保持されるようになっている。即ち、捩りコイルバネ１８の巻線部が死点を越えることにより、各コネクタ取付部１２ａ，１２ｂの突出状態或は後退状態に保持されるようになっている。
【００１３】
雌型のアナログコネクタ１５は、雌型のディジタルコネクタ１７より長尺に形成してある。また、雌型のディジタルコネクタ１７の上下部には、一対の位置決め孔１７ａ，１７ａを形成してある。この雌型のディジタルコネクタ１７の各位置決め孔１７ａに相対向するカメラ本体２側の雄型のディジタルコネクタ８の上下部には、一対の位置決めピン８ａ，８ａを突設してあり、これらコネクタ８，１７の接続の際に位置決めされた状態で嵌め込まれるようになっている。
【００１４】
押え板２０は、雌型のアナログコネクタ１５と雌型のディジタルコネクタ１７の露出時の押え部としての機能と目隠しとしての機能を有する。即ち、取付板１２の各コネクタ取付部１２ａ，１２ｂを押える各折曲部２０ｂの先端はテーパ面２０ｃになっていて、いずれか一方のコネクタ取付部１２ａ或は１２ｂを確実に押えることができるようになっている。そして、押え板２０を上下逆向きにしてベース板１１の上，下片部１１ａ，１１ｂの各前端折曲部１１ａ′，１１ｂ′の中央のネジ孔にネジ１９を介して締結固定することにより、該押え板２０の一つの開口部２０ａよりいずれか一方のコネクタ１５或は１７が外に露出するようになっている。
【００１５】
尚、図１と図３及び図５に示すように、業務用ディジタルカメラ１のカメラ本体２の上面側には、図示しない把手を突設してあると共に、該カメラ本体２の下側には肩載せ台９を取り付けてある。この肩載せ台９の上面後部にはＶＴＲ本体６がスライド及び着脱自在に取り付けられている。これにより、コネクタ切換装置１０のＶＴＲ本体６側の雌型のアナログコネクタ１５或は雌型のディジタルコネクタ１７のいずれか一方のコネクタに切り換えた後で、当該コネクタ１５或は１７をカメラ本体２側の相対向する雄型のアナログコネクタ７或は雄型のディジタルコネクタ８に接続できるようになっている。
【００１６】
以上実施形態例のコネクタ切換装置１０を備えた業務用ディジタルカメラ１によれば、カメラ本体２側でアナログ信号化されたビデオ信号をＶＴＲ本体６側でディジタル記録する場合（以下「アナログコネクタ使用時」という）には、図３（Ａ）に示すように、ＶＴＲ本体６の前面６ａに雌型のアナログコネクタ１５を露出させて該カメラ本体２の雄型のアナログコネクタ７に接続させた状態で使用すると共に、カメラ本体２側でディジタル信号化されたビデオ信号をＶＴＲ本体側６でディジタル記録する場合（以下「ディジタルコネクタ使用時」という）には、図５（Ａ）に示すように、ＶＴＲ本体６の前面６ａに雌型のディジタルコネクタ１７を露出させて該カメラ本体２の雄型のディジタルコネクタ８に接続させた状態で使用する。このアナログコネクタ使用時には、図６（Ａ）に示すように、コネクタ切換装置１０の押え板２０の開口部２０ａからＶＴＲ本体６側の雌型のアナログコネクタ１５が外に露出していると共に、この露出状態は、押え板２０の一対の折曲部２０ｂ，２０ｂの各テーパ面２０ｃが取付板１２の他方の雌型のディジタルコネクタ１７を固定した第２のコネクタ取付部１２ｂに当たることにより保持固定される。これにより、図１で矢印に示すように、カメラ本体２側の肩載せ台９上にＶＴＲ本体６をスライド移動させるだけの簡単な動作で、ＶＴＲ本体６の前面６ａに突出した雌型のアナログコネクタ１５をカメラ本体２の背面２ａ内に埋設された雄型のアナログコネクタ７に容易に嵌合，接続させることができる。
【００１７】
また、上記アナログコネクタ使用時の状態から上記ディジタルコネクタ使用時の状態に切り換えるには、図６（Ｂ）に示すように、まず、コネクタ切換装置１０の押え板２０を取り外す。次に、雌型のアナログコネクタ１５を捩りコイルバネ１８の付勢力を抗して後方に押すと、取付板１２が各軸１３を介していわゆるシーソのように揺動（回動）して雌型のディジタルコネクタ１７が突進，突出し始め、捩りコイルバネ１８の巻線部が死点を越えた所で雌型のディジタルコネクタ１７の突出状態が保持される。次に、図６（Ｃ）に示すように、押え板２０の向きを上下逆向きにしてベース板１１の上，下片部１１ａ，１１ｂの各前端折曲部１１ａ′，１１ｂ′の中央のネジ孔にネジ１９を介して締結固定することにより、該押え板２０の開口部２０ａより上記雌型のディジタルコネクタ１７がＶＴＲ本体６の前面６ａより外に露出する。この露出状態は、図６（Ｃ）に示すように、押え板２０の一対の折曲部２０ｂ，２０ｂの各テーパ面２０ｃが取付板１２の一方の雌型のアナログコネクタ１５を固定した第１のコネクタ取付部１２ａに当たることにより保持固定される。これにより、アナログコネクタ使用時と同様に、カメラ本体２側の肩載せ台９上にＶＴＲ本体６をスライド移動させるだけの簡単な動作で、ＶＴＲ本体６の前面６ａに突出した雌型のディジタルコネクタ１７をカメラ本体２の背面２ａ内に埋設された雄型のディジタルコネクタ８に容易に嵌合，接続させることができる。
【００１８】
このように、コネクタ切換装置１０の押え板２０を取り外し、取付板１２を各軸１３を中心として回動させるだけの簡単な操作により、アナログコネクタ７，１５とディジタルコネクタ８，１７との所定の接続位置への切り換えを容易に行うことができる。従って、このコネクタ切換装置１０を用いた業務用ディジタルカメラ１では、カメラ本体２をビデオ信号をアナログ信号化するように使用する場合とディジタル信号化するように使用する場合の両方の場合に容易に対応させることができ、使い勝手が非常に良くなる。
【００１９】
尚、前記実施形態例によれば、ビデオカメラとして業務用のディジタルカメラ（放送用のテレビジョンカメラ）について説明したが、家庭用のディジタルカメラ等の他のビデオカメラに適用してもよい。また、記録媒体は磁気テープに限らず、光ディスクや光磁気ディスク等のディスク媒体でもよい。さらに、切り換え付勢手段として捩りコイルバネを用いたが、金属製或はモールド製の板バネ等の他の付勢手段を用いてもよい。
【００２０】
【発明の効果】
以上のように、この発明によれば、第１のコネクタと第２のコネクタとを所定の接続位置に切り換え自在にしたコネクタ切換装置において、第１のコネクタ取付部と第２のコネクタ取付部とを有した取付体を軸を介して回動自在に支持し、この取付体の第１のコネクタ取付部に上記第１のコネクタを固定すると共に、該取付体の第２のコネクタ取付部に上記第２のコネクタを固定し、上記取付体の回動により上記第１のコネクタと上記第２のコネクタとを上記所定の接続位置に切り換え自在にしたので、上記取付体を軸を中心として回動させるだけの簡単な操作により上記第１のコネクタと第２のコネクタとの所定の接続位置への切り換えを容易に行うことができる。このコネクタ切換装置をビデオカメラに用いると、映像信号をアナログ信号化するカメラ部とディジタル信号化するカメラ部の両方に対応させることができ、使い勝手が非常に良くなる。
【図面の簡単な説明】
【図１】この発明の一実施形態例を示すコネクタ切換装置を用いたビデオカメラの側面図。
【図２】アナログコネクタ使用時における上記コネクタ切換装置の分解斜視図。
【図３】（Ａ）は、上記アナログコネクタ使用時における上記ビデオカメラのＶＴＲ本体側の正面図、（Ｂ）は、同ビデオカメラのカメラ本体側の背面図。
【図４】ディジタルコネクタ使用時における上記コネクタ切換装置の分解斜視図。
【図５】（Ａ）は、上記ディジタルコネクタ使用時における上記ビデオカメラのＶＴＲ本体側の正面図、（Ｂ）は、同ビデオカメラのカメラ本体側の背面図。
【図６】（Ａ）〜（Ｃ）は、上記コネクタ切換装置のコネクタの切り換え状態を順を追って示す説明図。
【図７】上記ビデオカメラのＶＴＲ本体のディジタル記録に用いられる回路図。
【符号の説明】
１…業務用ディジタルカメラ（ビデオカメラ）、２…カメラ本体（カメラ部）、６…ＶＴＲ（記録部）、７…アナログコネクタ、８…ディジタルコネクタ、１０…コネクタ切換装置、１２…取付板（取付体）、１２ａ…第１のコネクタ取付部、１２ｂ…第２のコネクタ取付部、１５…アナログコネクタ（第１のコネクタ）、１７…ディジタルコネクタ（第２のコネクタ）、２０…押え板（蓋体）、２０ａ…開口部、２０ｂ…折曲部（押え部）。
【図１】
0003731245.tif 000002
【図２】
0003731245.tif 000003
【図３】
0003731245.tif 000004
【図４】
0003731245.tif 000005
【図５】
0003731245.tif 000006
【図６】
0003731245.tif 000007
【図７】
0003731245.tif 000008